(57)【要約】      （修正有）【課題】本発明は、連結されたハウジングとカバー体との相対移動を抑制できるコネクタ、並びにコネクタ付ワイヤーハーネスを提供する。【解決手段】被覆電線に接続される雌型接続端子を連結方向後方Ｃｏ２から挿着するハウジング１０と、ハウジング１０の連結方向後方Ｃｏ２をカバーするカバー体とを連結方向Ｃｏに連結した雌型コネクタにおいて、ハウジング１０にフランジ部３３を備えるとともに、フランジ部３３を挿着方向ＩＬ１に挿着する受け溝６４をカバー体に備え、フランジ部３３が受け溝６４に挿着された挿着状態において、受け溝６４からのフランジ部３３の脱出方向に係止する係止爪３４をハウジング１０に備え、挿着ラッチ６６をカバー体に備え、互いに係止し合う係止爪３４と挿着ラッチ６６における係止箇所を、挿脱方向に仮想の水平面に対して連結方向Ｃｏに傾斜する傾斜面で構成した。【選択図】図８
2019061744.tif 000002
【特許請求の範囲】
【請求項１】
被覆電線の先端に接続される接続端子を後方から挿着するハウジングと、該ハウジングの後方をカバーするカバー体とが前後方向に連結されたコネクタであって、
前記ハウジングと前記カバー体におけるそれぞれの連結部分の一方に挿着部が備えられるとともに、前記挿着部が前記前後方向に交差する挿脱方向に挿着される被挿着部が他方に備えられ、
前記挿着部が前記被挿着部に挿着された挿着状態において、前記被挿着部からの前記挿着部の脱出方向に係止する係止部及び被係止部のうち一方が、前記ハウジングと前記カバー体の一方に備えられ、前記係止部及び前記被係止部のうち他方が、前記ハウジングと前記カバー体の他方に備えられ、
前記係止部と前記被係止部において互いに係止し合う係止箇所の少なくとも一方が、前記挿脱方向に垂直な面に対して前記前後方向に傾斜する傾斜面で構成された
コネクタ。
【請求項２】
前記挿着部が、前記ハウジングに備えられたフランジ部で構成され、
前記被挿着部が、前記カバー体に備えられ、前記フランジ部が挿入される受け溝を形成する溝形成部で構成された
請求項１に記載のコネクタ。
【請求項３】
前記溝形成部は、前記フランジ部の厚みに対向する間隔を隔てて配置された一対の壁部で構成され、
前記壁部から前方に延びるとともに、前記ハウジングの底面に当接する当接部が備えられた
請求項２に記載のコネクタ。
【請求項４】
前記係止部は、前記フランジ部に備えられた係止爪で構成され、
前記被係止部は、前記溝形成部に備えられるとともに、前記前後方向に変形可能な変形被係止部で構成され、
該変形被係止部による前記前後方向の弾性係止力を、前記フランジ部の挿着方向に作用させる
請求項２または３に記載のコネクタ。
【請求項５】
前記ハウジングは、
前記接続端子が挿着されるハウジング本体と、該ハウジング本体が後方から挿入されるハウジングケースとで構成され、
前記フランジ部及び前記係止爪が前記ハウジングケースに備えられた
請求項４に記載のコネクタ。
【請求項６】
前記カバー体に、
連結状態における前記ハウジングケースからの前記ハウジング本体の前記後方への抜出しを規制する規制凸部が備えられた
請求項５に記載のコネクタ。
【請求項７】
前記カバー体は、
前記前後方向に交差する挿脱方向から前記ハウジングを挟み込む一対構成の組合せカバー体で構成された
請求項１乃至６のうちいずれかに記載のコネクタ。
【請求項８】
請求項１乃至７のうちいずれかに記載のコネクタと、
前記接続端子が先端に接続された複数本の前記被覆電線とで構成された
コネクタ付ワイヤーハーネス。
【請求項９】
前記カバー体に、
前記接続端子が挿着されるととともに、前記ハウジングから後方に延びる前記被覆電線を束ねて固定する固定バンドを装着するバンド装着部が設けられた
請求項８に記載のコネクタ付ワイヤーハーネス。
【請求項１０】
前後方向に連結されるカバー体によって後方がカバーされるとともに、被覆電線の先端に接続される接続端子が後方から挿着されるハウジングであって、
前記カバー体との連結部分に、挿着部、あるいは前記挿着部が前記前後方向に交差する挿脱方向に挿着される被挿着部が備えられ、
前記挿着部が前記被挿着部に挿着された挿着状態において、前記被挿着部からの前記挿着部の脱出方向に係止する係止部及び被係止部のうち一方が備えられ、
前記係止部と前記被係止部において互いに係止し合う係止箇所の少なくとも一方が、前記挿脱方向に垂直な面に対して前記前後方向に傾斜する傾斜面で構成された
ハウジング。
【請求項１１】
被覆電線の先端に接続される接続端子を後方から挿着するハウジングに対して前後方向に連結され、前記ハウジングの後方をカバーするカバー体であって、
前記ハウジングとの連結部分に、挿着部、あるいは前記挿着部が前記前後方向に交差する挿脱方向に挿着される被挿着部が備えられ、
前記挿着部が前記被挿着部に挿着された挿着状態において、前記被挿着部からの前記挿着部の脱出方向に係止する係止部及び被係止部のうち一方が備えられ、
前記係止部と前記被係止部において互いに係止し合う係止箇所の少なくとも一方が、前記挿脱方向に垂直な面に対して前記前後方向に傾斜する傾斜面で構成された
カバー体。
【発明の詳細な説明】
【技術分野】
【０００１】
この発明は、例えば、ワイヤーハーネスを電気的に接続するコネクタ、コネクタを構成するハウジング、カバー体、さらにはワイヤーハーネスの先端にコネクタが装着されたコネクタ付ワイヤーハーネスに関する。
【背景技術】
【０００２】
自動車等に装備された電装品は、被覆電線を束ねたワイヤーハーネスを介して、別の電装品や電源装置と接続して、あるいはワイヤーハーネス同士を接続して電気回路を構成している。この際、ワイヤーハーネスと電装品や電源装置とは、それぞれに装着したコネクタ同士を雌雄嵌合することで接続されている。そして、コネクタのひとつとして、接続端子が挿着されたハウジングに対して後方をカバーするカバー体が備えられたコネクタが提案されている（特許文献１参照）。
【０００３】
このようなカバー体が備えられたコネクタは、ハウジングとカバー体とを組み付けて構成しており、組み付けのためのクリアランスを設けている。そのため、例えば、組み付け状態において振動等の外力が付与されると、ハウジングとカバー体とに、ガタツキと呼ばれる相対移動が生じることがあった。
【先行技術文献】
【特許文献】
【０００４】
【特許文献１】特開２０１７―１２６５０７号公報
【発明の概要】
【発明が解決しようとする課題】
【０００５】
本発明は、連結されたハウジングとカバー体との相対移動を抑制できるコネクタ、コネクタを構成するハウジング及びカバー体、並びにコネクタ付ワイヤーハーネスを提供することを目的とする。
【課題を解決するための手段】
【０００６】
この発明は、被覆電線の先端に接続される接続端子を後方から挿着するハウジングと、該ハウジングの後方をカバーするカバー体とが前後方向に連結されたコネクタであって、前記ハウジングと前記カバー体におけるそれぞれの連結部分の一方に挿着部が備えられるとともに、前記挿着部が前記前後方向に交差する挿脱方向に挿着される被挿着部が他方に備えられ、前記挿着部が前記被挿着部に挿着された挿着状態において、前記被挿着部からの前記挿着部の脱出方向に係止する係止部及び被係止部のうち一方が、前記ハウジングと前記カバー体の一方に備えられ、前記係止部及び前記被係止部のうち他方が、前記ハウジングと前記カバー体の他方に備えられ、前記係止部と前記被係止部において互いに係止し合う係止箇所の少なくとも一方が、前記挿脱方向に垂直な面に対して前記前後方向に傾斜する傾斜面で構成されたことを特徴とする。
【０００７】
またこの発明は、前後方向に連結されるカバー体によって後方がカバーされるとともに、被覆電線の先端に接続される接続端子が後方から挿着されるハウジングであって、前記カバー体との連結部分に、挿着部、あるいは前記挿着部が前記前後方向に交差する挿脱方向に挿着される被挿着部が備えられ、前記挿着部が前記被挿着部に挿着された挿着状態において、前記被挿着部からの前記挿着部の脱出方向に係止する係止部及び被係止部のうち一方が備えられ、前記係止部と前記被係止部において互いに係止し合う係止箇所の少なくとも一方が、前記挿脱方向に垂直な面に対して前記前後方向に傾斜する傾斜面で構成されたことを特徴とする。
【０００８】
またこの発明は、被覆電線の先端に接続される接続端子を後方から挿着するハウジングに対して前後方向に連結され、前記ハウジングの後方をカバーするカバー体であって、前記ハウジングとの連結部分に、挿着部、あるいは前記挿着部が前記前後方向に交差する挿脱方向に挿着される被挿着部が備えられ、前記挿着部が前記被挿着部に挿着された挿着状態において、前記被挿着部からの前記挿着部の脱出方向に係止する係止部及び被係止部のうち一方が備えられ、前記係止部と前記被係止部において互いに係止し合う係止箇所の少なくとも一方が、前記挿脱方向に垂直な面に対して前記前後方向に傾斜する傾斜面で構成されたことを特徴とする。
【０００９】
上述の係止部及び被係止部は、前記係止部が前記ハウジングに備えられるとともに、前記被係止部が前記カバー体に備えられる場合、前記係止部が前記カバー体に備えられるとともに、前記被係止部が前記ハウジングに備えられる場合、あるいは前記係止部と前記被係止部が複数備えられ、前記係止部と前記被係止部のそれぞれが前記カバー体と前記ハウジングに備えられる場合などが含まれる。
【００１０】
上述の前記挿脱方向に垂直な面に対して前記前後方向に傾斜する傾斜面は、例えば、挿脱方向が鉛直方向である場合における垂直な面、つまり水平面に対して前後方向に傾斜した面であり、前方に傾斜する面、後方に傾斜する面とすることができる。
【００１１】
上記傾斜面は、前記係止箇所の全部が傾斜する傾斜面や前記係止箇所の一部が傾斜する傾斜面であってもよく、さらには、傾斜する平面や係止する側に突出する湾曲面であってもよい。
【００１２】
この発明により、組み付け状態においてハウジングとカバー体との相対移動を抑制することができる。  
詳述すると、被覆電線の先端に接続される接続端子を後方から挿着するハウジングと、該ハウジングの後方をカバーするカバー体とを、前記ハウジングと前記カバー体におけるそれぞれの連結部分の一方の挿着部を他方の被挿着部に挿着し、前後方向に連結したコネクタにおいて、前記被挿着部からの前記挿着部の脱出方向に係止する係止部及び被係止部において互いに係止し合う係止箇所の少なくとも一方が、前記挿脱方向に垂直な面に対して前記前後方向に傾斜する傾斜面で構成されているため、係止状態における前記被係止部と前記係止部とによる前記前後方向の係止力の一部を挿着方向に作用させたり、脱出方向や挿着方向の係止力の一部を前記前後方向に作用させたりできる。つまり、前記被係止部と前記係止部とによる係止力の一部の作用方向を変化させることができ、連結されたハウジングとカバー体との相対移動を抑制することができる。したがって、ハウジングとカバー体との相対移動によって生じるガタツキ音や微振動摩耗を防止することができる。
【００１３】
上述の係止状態における係止力の一部を前記挿着方向に作用させるとは、被挿着部に挿着された挿着部をさらに押し込む方向に押し付ける力あるいは引っ張る力を作用させることをいい、また係止状態における係止力の一部を前記前後方向に作用させるとは、前方、つまり前記カバー体から前記ハウジングに向かう方向に押し付ける、または引っ張る力を作用させること、あるいは後方、つまり前記ハウジングから前記カバー体に向かう方向に押し付ける、または引っ張る力を作用させることをいう。
【００１４】
この発明の態様として、前記挿着部が、前記ハウジングに備えられたフランジ部で構成され、前記被挿着部が、前記カバー体に備えられ、前記フランジ部が挿着される受け溝を形成する溝形成部で構成されてもよい。
【００１５】
この発明により、前記溝形成部で形成した前記受け溝にフランジ部を挿着することで、カバー体とハウジングとを連結することができる。詳しくは、カバー体に設けた前記受け溝に対して、ハウジングに備えたフランジ部を、前記連結方向に交差する方向に挿着することで、ハウジングとカバー体とを連結方向に連結することができる。
【００１６】
また、前記受け溝からの前記フランジ部の脱出方向に係止する係止部及び被係止部において互いに係止し合う係止箇所の少なくとも一方が、前記挿脱方向に垂直な面に対して前記前後方向に傾斜する傾斜面で構成されているため、係止状態における前記被係止部と前記係止部とによる前記前後方向の係止力の一部を挿着方向に作用させて、前記フランジ部を前記受け溝の底部側に押し付けたり、脱出方向や挿着方向の係止力の一部を前記前後方向に作用させて、前記フランジ部を、前記受け溝を形成する前記溝形成部に押し付けたりして、連結されたハウジングとカバー体との相対移動を抑制することができる。
【００１７】
またこの発明の態様として、前記溝形成部は、前記フランジ部の厚みに対向する間隔を隔てて配置された一対の壁部で構成され、前記壁部から前方に延びるとともに、前記ハウジングの底面に当接する当接部が備えられてもよい。
【００１８】
この発明により、連結されたハウジングとカバー体との相対移動をより抑制することができる。詳述すると、前記溝形成部は、前記フランジ部の厚みに対向する間隔を隔てて配置された一対の壁部で構成され、前記壁部から前方に延びるとともに、前記ハウジングの底面に当接する当接部が備えられているため、組み付け状態において、係止状態における前記被係止部と前記係止部とによる前記前後方向の係止力の一部を挿着方向に作用させて、前記フランジ部を前記受け溝の底部側に押し付けたり、脱出方向や挿着方向の係止力の一部を前記前後方向に作用させて、前記フランジ部を、前記受け溝を形成する前記壁部に押し付けたりするとともに、前記壁部から前記前方に延びる前記当接部と前記ハウジング底面とが当接するため、連結されたハウジングとカバー体との相対移動をより抑制することができる。
【００１９】
またこの発明の態様として、前記係止部は、前記フランジ部に備えられた係止爪で構成され、前記被係止部は、前記溝形成部に備えられるとともに、前記前後方向に変形可能な変形被係止部で構成され、該変形被係止部による前記前後方向の弾性係止力を、前記フランジ部の挿着方向に作用させてもよい。
【００２０】
この発明により、連結されたハウジングとカバー体との相対移動をさらに抑制することができる。  
詳述すると、前記フランジ部が前記受け溝に挿着された挿着状態において、前記フランジ部に設けられた係止爪と、前記受け溝を形成する前記溝形成部に設けられた前記変形被係止部とが係合するため、前記フランジ部が前記受け溝に挿着された挿着状態を確実に係止して、ハウジングとカバー体との相対移動をさらに抑制することができる。
【００２１】
また、前記フランジ部が前記受け溝に挿着された挿着状態において、前記変形被係止部による前記前後方向の弾性係止力の一部を挿着方向に作用させることができるため、前記受け溝の底部側に前記フランジ部をより押し付けて、連結されたハウジングとカバー体との相対移動をさらに抑制することができる。
【００２２】
またこの発明の態様として、前記ハウジングは、前記接続端子が挿着されるハウジング本体と、該ハウジング本体が後方から挿入されるハウジングケースとで構成され、前記フランジ部及び前記係止爪が前記ハウジングケースに備えられてもよい。
【００２３】
この発明により、接続端子が挿着されたハウジング本体をハウジングケースの後方から組み付けるとともに、ハウジングケースに設けた前記フランジ部及び前記係止爪をカバー体と連結して固定するため、取り扱い性を向上することができる。
【００２４】
またこの発明の態様として、前記カバー体に、連結状態における前記ハウジングケースからの前記ハウジング本体の前記後方への抜出しを規制する規制凸部が備えられてもよい。
【００２５】
規制凸部は、抜け出そうとする前記ハウジング本体の後端に当接するように配置された凸部、前記ハウジングケースに挿入された前記ハウジング本体に嵌合させて後方への移動を規制する凸部などであってもよい。  
この発明により、前記ハウジングケースから前記ハウジング本体が不用意に抜け出ることを防止することができる。
【００２６】
またこの発明の態様として、前記カバー体は、前記前後方向に交差する挿脱方向から前記ハウジングを挟み込む一対構成の組合せカバー体で構成されてもよい。  
この発明により、ハウジングの後方の周囲を組合せカバー体で容易に囲繞することができる。
【００２７】
またこの発明は、上記コネクタと、前記接続端子が先端に接続された複数本の前記被覆電線とで構成されたコネクタ付ワイヤーハーネスであることを特徴とする。  
この発明により、耐久性の高いコネクタ付ワイヤーハーネスを構成することができる。詳述すると、上記コネクタと、前記接続端子が先端に接続された接続端子が後方から挿着されたハウジングの後方をカバー体でカバーしているため、耐久性の高いコネクタ付ワイヤーハーネスを構成することができる。
【００２８】
この発明の態様として、前記カバー体に、前記接続端子が挿着されるととともに、前記ハウジングから後方に延びる前記被覆電線を束ねて固定する固定バンドを装着するバンド装着部が設けられてもよい。
【００２９】
この発明により、耐久性を向上できるコネクタ付ワイヤーハーネスを構成することができる。詳述すると、ワイヤーハーネスを束ねてカバー体に固定できるため、ワイヤーハーネスに外力が作用した場合であっても、バンドが装着されたバンド装着部を介して外力はカバー体に作用するため、ハウジングに収容した接続端子に外力が作用することがなく、耐久性を向上できるコネクタ付ワイヤーハーネスを構成することができる。
【００３０】
また、先端に接続された接続端子が前記ハウジングに挿着された被覆電線で構成するワイヤーハーネスが束ねてカバー体に固定されているものの、上述したように、連結されたハウジングとカバー体との相対移動を抑制できるため、振動が作用した場合であってもワイヤーハーネスとカバー体とは同位相の振動モードで振動し、ワイヤーハーネスとカバー体とが相対移動することを抑制できる。
【００３１】
特に、ワイヤーハーネスを構成する被覆電線が、細径化された被覆電線である場合、上述したように、ワイヤーハーネスとカバー体とが相対移動すると、細径化された被覆電線が損傷するおそれがあるが、上述したように、ワイヤーハーネスとカバー体とが相対移動することを抑制できるため、細径化された被覆電線で構成するワイヤーハーネスであっても損傷することを防止できる。
【発明の効果】
【００３２】
本発明により、連結されたハウジングとカバー体との相対移動を抑制できるコネクタ、コネクタを構成するハウジング及びカバー体、並びにコネクタ付ワイヤーハーネスを提供することができる。
【図面の簡単な説明】
【００３３】
【図１】雌雄嵌合するコネクタの概略斜視図。
【図２】雌雄嵌合するコネクタの内部構成を示す概略斜視図。
【図３】雌型コネクタの後方上面側からの分解斜視図。
【図４】雌型コネクタの前方底面側からの分解斜視図。
【図５】雌型コネクタの説明図。
【図６】ベースカバー体の前方上面側からの断面斜視図。
【図７】ベースカバー体とハウジングの組み付けについての説明図。
【図８】ベースカバー体とハウジングの組み付けについての説明図。
【図９】アッパーカバー体の組み付けについての後方上面側からの斜視図。
【発明を実施するための形態】
【００３４】
この発明の一実施形態を以下図面と共に説明する。  
なお、図１は雌雄嵌合するコネクタ１，１００の概略斜視図を示し、図２は雌雄嵌合するコネクタ１，１００の内部構成を示す概略斜視図を示し、図３は雌型コネクタ１の後方上面側からの分解斜視図を示し、図４は雌型コネクタ１の前方底面側からの分解斜視図を示し、図５は雌型コネクタ１の説明図を示し、図６はベースカバー体６０の前方上面側からの断面斜視図を示し、図７、８はベースカバー体６０とハウジング１０の組み付けについての説明図を示し、図９はアッパーカバー体５０の組み付けについての後方上面側からの斜視図を示している。
【００３５】
より詳しくは、図５（ａ）は雌型コネクタ１の底面図を示し、図５（ｂ）は図５（ａ）におけるＡ−Ａ断面図を示し、図５（ｃ）は図５（ａ）におけるＢ−Ｂ断面図を示している。また、図６は図３に示すＣ−Ｃ断面におけるベースカバー体６０の前方上面側からの断面斜視図を示している。
【００３６】
さらに、図７（ａ）はベースカバー体６０へハウジング１０を挿着する前の状態の後方上面側からの斜視図を示し、図７（ｂ）はベースカバー体６０にハウジング１０を挿着した状態の後方上面側からの斜視図を示している、図８（ａ）は図５（ａ）のＢ−Ｂ断面位置におけるベースカバー体６０へハウジング１０を挿着する前の状態の断面図を示し、図８（ｂ）は同断面位置におけるベースカバー体６０へハウジング１０を挿着中の断面図を示し、図８（ｃ）は同断面位置におけるベースカバー体６０へハウジング１０を挿着完了した状態の断面図を示している。  
なお、図３、５、７、８では、ワイヤーハーネス７０の図示を省略し、図４では、ハウジング本体２０及びワイヤーハーネス７０の図示を省略している。
【００３７】
例えば、自動車等に装備された電装品を別の電装品や電源装置と接続して電気回路を構成するためなどに用いられるワイヤーハーネス７０は、それぞれに装着したコネクタ１，１００を雌雄嵌合させて、ワイヤーハーネス７０同士や、電装品や電源装置と接続する。
【００３８】
詳述すると、図１，２に示すように、被覆電線７０ａを束ねて構成したワイヤーハーネス７０の先端に雌型コネクタ１を装着し、図示省略する接続相手側の電装品やワイヤーハーネスに装着された雄型コネクタ１００と雌雄嵌合することで電気的に接続することができる。
【００３９】
なお、図１、２において、雌型コネクタ１と雄型コネクタ１００とが嵌合する方向を嵌合方向Ｃｈとし、雌型コネクタ１から雄型コネクタ１００に向かう方向を第１嵌合方向Ｃｈ１、雄型コネクタ１００が雌型コネクタ１に向かう方向を第２嵌合方向Ｃｈ２としている。また、嵌合方向Ｃｈは、後述するハウジング１０とカバー体４０とを連結する連結方向Ｃｏと一致している。
【００４０】
雄型コネクタ１００は、正面側（図１において手前側，第２嵌合方向Ｃｈ２）が開放された横長矩形状の雄型ハウジング１１０と、整列配置された複数本の雄型接続端子１１１（図２）とで構成されている。
【００４１】
雄型接続端子１１１は、後述する雌型コネクタ１の雌型接続端子の端子接続部と接続される第２嵌合方向Ｃｈ２の接続タブ１１２と、図示省略する接続相手側の電装品やワイヤーハーネスと電気的に接続される電気接続部１１３とで構成されている。  
なお、整列配置された雄型接続端子１１１は、後述する雌型コネクタ１における雌型接続端子（図示省略）の数と配置に対応している。
【００４２】
雄型ハウジング１１０は、後述する雌型コネクタ１のハウジングケース３０が挿入される開放空間Ｘを内部に有する有底角型筒状体であり、開放空間Ｘにおいて雄型接続端子１１１の接続タブ１１２が突出するように配置されている。また、雄型ハウジング１１０の上部の開放空間Ｘ側には、後述する雌型コネクタ１のハウジングケース３０に備えた嵌合固定部３１に対応する被嵌合固定部（図示省略）が備えられている。
【００４３】
雌型コネクタ１は、図１乃至図３に示すように、ハウジング１０と、カバー体４０とで構成している。なお、雌型コネクタ１と、ワイヤーハーネス７０とでコネクタ付ワイヤーハーネス２を構成している。  
なお、図３において矢印Ｃｏで図示するハウジング１０とカバー体４０とを連結する方向を連結方向とし、カバー体４０に対するハウジング１０の側を連結方向前方Ｃｏ１、ハウジング１０に対するカバー体４０の側を連結方向後方Ｃｏ２としている。
【００４４】
また、図３において矢印Ｗで図示する方向を幅方向としている。さらに、図３において矢印ＩＬで図示するハウジング１０とベースカバー体６０とが挿脱する方向を挿脱方向とし、ベースカバー体６０に対してハウジング１０を挿着する方向を挿着方向ＩＬ１（図３において下向き）、ベースカバー体６０からハウジング１０が脱出する方向を脱出方向ＩＬ２（図３において上向き）としている。なお、本明細書において、挿着方向ＩＬ１を下向きＩＬ１、脱出方向ＩＬ２を上向きＩＬ２ともいう。
【００４５】
ワイヤーハーネス７０は、細径化された被覆電線７０ａを複数本束ねて構成されており、各被覆電線７０ａの先端には、雄型コネクタ１００の接続タブ１１２と電気的に接続される雌型接続端子（図示省略）が接続されている。なお、本実施形態においては、４０本の被覆電線７０ａを束ねてワイヤーハーネス７０を構成している。また、被覆電線７０ａは、導体の周囲を絶縁被覆で被覆した電線であるが、一般的な被覆電線に比べて細径化されているものの、通常の径の被覆電線であってもよい。
【００４６】
ハウジング１０は、複数のハウジング本体２０と、ハウジング本体２０を連結方向後方Ｃｏ２から挿入可能に構成したハウジングケース３０とで構成している。  
ハウジング本体２０は、上下方向ＩＬより幅方向Ｗに長く、幅方向Ｗより連結方向Ｃｏに長い幅広直方体状であり、内部に連結方向Ｃｏに貫通するキャビティ２１を複数設けるとともに、上面に位置規制凸部２２を設けている。
【００４７】
位置規制凸部２２は、ハウジング本体２０の上面の連結方向前方Ｃｏ１において、幅方向Ｗに所定間隔を隔てて複数配置されている。また、ハウジング本体２０の側面は、幅方向Ｗに複数配置した際に凹凸嵌合するように断面鉤状に形成されている。
【００４８】
ハウジング本体２０を連結方向Ｃｏに貫通するキャビティ２１は、被覆電線７０ａの先端に接続される雌型接続端子を収容するとともに、連結方向Ｃｏの位置を固定可能に構成されており、連結方向前方Ｃｏ１から雄型コネクタ１００の接続タブ１１２が挿入可能に構成されている。
【００４９】
キャビティ２１は、ハウジング本体２０において、幅方向Ｗに所定間隔を隔てて複数配置されているが、４０本の被覆電線７０ａでワイヤーハーネス７０を構成した本実施形態では、８個のキャビティ２１が設けられている。
【００５０】
このように構成されたハウジング本体２０は、幅方向Ｗに並べるとともに上下方向ＩＬに重ね合わせて用いることができるが、ハウジング本体２０に８個のキャビティ２１が設けられた本実施形態では、幅方向Ｗの中央において挿脱方向ＩＬに１段、幅方向Ｗの両側において挿脱方向ＩＬに２段重ねて、合計５つのハウジング本体２０を用いている。
【００５１】
上述のハウジング本体２０を連結方向後方Ｃｏ２から挿入可能なハウジングケース３０は、上下方向ＩＬより幅方向Ｗに長く、幅方向Ｗより連結方向Ｃｏが長い幅広直方体状であり、連結方向Ｃｏに貫通する収容空間Ｙを内部に有するとともに、ハウジングケース３０の連結方向後方Ｃｏ２の端部には挿脱方向ＩＬ及び幅方向Ｗに広がるフランジ部３３が設けられている。
【００５２】
収容空間Ｙは、上述した配置の５つのハウジング本体２０が収容可能な、連結方向Ｃｏから視て幅方向Ｗに広い凹型の空間であり、収容空間Ｙに対面するハウジングケース３０の内面には、位置規制凸部２２がスライド可能な連結方向Ｃｏに長いガイド凹凸部が備えられている。
【００５３】
ハウジング本体２０の上面には、雄型ハウジング１１０に備えた被嵌合固定部と嵌合固定する嵌合固定部３１が備えられている。嵌合固定部３１は、連結方向Ｃｏから視て幅方向Ｗに広い凹型の空間である収容空間Ｙの中央に対応する位置に設けられており、連結方向前方Ｃｏ１の端部を支点とした片持ち状の弾性片で構成されている。そして、嵌合固定部３１の上面には係止爪３１１が設けられ、嵌合固定部３１の連結方向後方Ｃｏ２の端部には、下向きＩＬ１に向かって押し込み可能な押し込み部３１２が設けられている。また、押し込み部３１２の上方には、後述するフランジ部３３からつながる平面視コ字状のガイド３２が設けられ、ガイド３２によって、押し込み部３１２の不用意な押し込みを防止している。
【００５４】
フランジ部３３は、上述したように、ハウジングケース３０の連結方向後方Ｃｏ２の端部から挿脱方向ＩＬ及び幅方向Ｗに広がる所定の厚みｔ１で構成された板状である。フランジ部３３のうち上側部分は、ガイド３２の幅方向Ｗの両側に設けられており、ガイド３２に対応する箇所は設けられていない。また、挿脱方向ＩＬ及び幅方向Ｗに広がるフランジ部３３のうち下側には、連結方向後方Ｃｏ２に突出する係止爪３４が設けられている。
【００５５】
連結方向後方Ｃｏ２に突出する係止爪３４は、図８に示すように、傾斜上面３４１と案内傾斜面３４２とを有し、横向きの台形状に形成されている。  
案内傾斜面３４２は、挿脱方向ＩＬに垂直な面、つまり連結方向Ｃｏと幅方向Ｗとで構成される仮想の水平面に対して先端側が上方に向かう前上がりの傾斜面で構成している。本実施形態においては、仮想の水平面に対して４５度で傾斜している。
【００５６】
傾斜上面３４１は、仮想の水平面に対して先端側が下向きＩＬ１に向かう前下がりの傾斜面で構成している。本実施形態においては、仮想の水平面に対して４５度以下のおよそ１５度で傾斜している。また、傾斜上面３４１の基端は、図８（ａ）に示すように、ハウジングケース３０の底面３０ａより所定間隔Ｈ１分だけ低い位置に配置されている。
【００５７】
このように構成された係止爪３４は幅方向Ｗに所定間隔を隔てて複数設けられている。詳しくは、幅方向Ｗに所定間隔を隔てて配置される係止爪３４は、幅方向Ｗに３つ並べて収容空間Ｙに挿入する各ハウジング本体２０の中央位置付近に配置されている。  
また、幅方向Ｗに所定間隔を隔てて配置される係止爪３４同士の間におけるフランジ部３３の下端には、上向きＩＬ２に延びるスリット３５が設けられている。
【００５８】
このように構成されたハウジングケース３０の連結方向後方Ｃｏ２からハウジング本体２０を収容空間Ｙに挿入してハウジング１０を構成することができる。このハウジング１０では、収容空間Ｙに挿入されたハウジング本体２０の連結方向後方Ｃｏ２の端面は、ハウジングケース３０の連結方向後方Ｃｏ２の端部に形成されたフランジ部３３の連結方向後方Ｃｏ２の端面と面一、あるいは、わずかに連結方向後方Ｃｏ２に突出するような態様で固定される。
【００５９】
ハウジング１０と連結され、ハウジング１０の連結方向後方Ｃｏ２をカバーするカバー体４０は、ハウジング１０の連結方向後方Ｃｏ２を上方からカバーするアッパーカバー体５０と、ハウジング１０の連結方向後方Ｃｏ２を下方からカバーするベースカバー体６０とで構成され、アッパーカバー体５０とベースカバー体６０とで、ハウジングケース３０のフランジ部３３を上下方向から挟み込んで連結している。
【００６０】
アッパーカバー体５０は、連結方向後方Ｃｏ２から連結方向前方Ｃｏ１に向かって、ワイヤーハーネス７０をカバーする平面視四角形状の後方カバー部５１、幅方向長さがハウジングケース３０と同程度にまで拡幅された拡幅部５２、及びハウジングケース３０のフランジ部３３を挿着する上部受け溝部５３がこの順で配置されて構成されている。このように、後方カバー部５１、拡幅部５２、及び上部受け溝部５３が一体構成されたアッパーカバー体５０は、適宜の弾性変形可能な樹脂製である。
【００６１】
後方カバー部５１は、上面と側面５１１とで構成され、連結方向後方Ｃｏ２の後方側面５１１ａには、ワイヤーハーネス７０が挿通する切り欠き５１２が設けられている。幅方向Ｗの両側の側面５１１のうち図３，４における手前側の第１側面５１１ｂには、後述するベースカバー体６０の後方カバー部６１の側面６１１ｂに設けた係止爪６１３に係合する側面視凹状の固定ラッチ５１３が下方に向かって突出する態様で設けられている。
【００６２】
幅方向Ｗの両側の側面５１１のうち図３，４における奥側の第２側面５１１ｃは、後方側面５１１ａや第１側面５１１ｂより長く、下方に向かって突出している。また、第２側面５１１ｃは、連結方向前方Ｃｏ１及び連結方向後方Ｃｏ２に褄壁５１４を有し、底面側から見て幅方向Ｗの内向きの凹状に形成している。また、褄壁５１４には、連結方向Ｃｏの外側に突出する上下方向のガイド凸部５１５が設けられている。なお、第２側面５１１ｃは、アッパーカバー体５０とベースカバー体６０とを組み付けて構成するカバー体４０の高さと同程度の長さで形成されている。
【００６３】
後方カバー部５１からハウジングケース３０と同程度の幅方向長さに拡幅する拡幅部５２は、上面５２２と側面５２１とで構成され、幅方向Ｗの両側面５２１には、後述するベースカバー体６０の拡幅部６２の側面６２１に設けた係止爪６２３に係合する側面視凹状の固定ラッチ５２３が下方に向かって突出する態様で設けられている。
【００６４】
上面５２２の連結方向前方Ｃｏ１の幅方向Ｗの中央には、ハウジングケース３０のガイド３２に対応する深さに向かって段々状に深くなり、幅方向長さに向かって段々状に拡幅される操作凹部５２４が形成されている。
【００６５】
拡幅部５２の連結方向前方Ｃｏ１の端部に設けられた上部受け溝部５３は、ガイド３２の幅方向Ｗの両側に設けられたフランジ部３３のうち上側に対応し、操作凹部５２４の幅方向Ｗの両外側に設けられ、フランジ部３３に対応する幅方向長さで形成されている。
【００６６】
上部受け溝部５３は、拡幅部５２の連結方向前方Ｃｏ１の端部に設けられた内側褄面５３１と、連結方向Ｃｏに所定間隔を隔てて配置された外側褄面５３２と、幅方向側面５３３とで構成されている。そして、内側褄面５３１、外側褄面５３２及び幅方向側面５３３で囲われた上部受け溝５４を形成している。
【００６７】
上部受け溝５４は、内側褄面５３１と外側褄面５３２との連結方向Ｃｏの間隔に対応する溝幅と、外側褄面５３２の高さに対応する溝深さを有する溝形状である。詳しくは、上部受け溝５４はフランジ部３３の厚みｔ１に対応する溝幅ｔ２（図８（ａ）参照）であり、つまり、内側褄面５３１と外側褄面５３２とは、連結方向Ｃｏにおいて溝幅ｔ２に対応する間隔で隔てて配置されている。なお、溝幅ｔ２は、厚みｔ１のフランジ部３３が上部受け溝５４に挿着できる間隔であり、厚みｔ１と同程度、あるいはわずかに広く形成している。
【００６８】
このように構成されたアッパーカバー体５０と組み合わせてカバー体４０を構成するベースカバー体６０は、連結方向後方Ｃｏ２から連結方向前方Ｃｏ１に向かって、ワイヤーハーネス７０をカバーする平面視四角形状の後方カバー部６１、幅方向長さがハウジングケース３０と同程度にまで拡幅された拡幅部６２、ハウジングケース３０のフランジ部３３を挿着する下部受け溝部６３及び下部受け溝部６３から連結方向前方Ｃｏ１に延びる受け皿部６５がこの順で配置されて構成されている。このように、後方カバー部６１、拡幅部６２、下部受け溝部６３及び受け皿部６５が一体構成されたベースカバー体６０は、アッパーカバー体５０と同様に、適宜の弾性変形可能な樹脂製である。
【００６９】
後方カバー部６１は、底面６１７と側面６１１とで構成され、連結方向後方Ｃｏ２の後方側面６１１ａには、ワイヤーハーネス７０が挿通する切り欠き６１２が設けられている。幅方向Ｗの両側の側面６１１のうち図３，４における手前側の第１側面６１１ｂには、上述の後方カバー部５１に設けた固定ラッチ５１３と係合する幅方向Ｗの外側に突出する直角三角形断面の係止爪６１３が設けられている。
【００７０】
係止爪６１３は、挿脱方向ＩＬに垂直な面、つまり連結方向Ｃｏと幅方向Ｗとで構成される仮想の水平面に対して先端側が下向きＩＬ１に向かう前下がりの上方傾斜面６１３ａと、仮想の水平面に沿う水平底面６１３ｂとで連結方向Ｃｏから視て直角三角形状に形成されている。
【００７１】
また、手前側の第１側面６１１ｂに対して幅方向Ｗに対向する部分は、底面６１７にかけて切欠かれており、その切り欠き部分の連結方向前方Ｃｏ１には、ガイド凸部５１５がスライド嵌合するスライド溝６１４が設けられている。  
また、底面６１７には、上記切り欠き部分からさらに手前側に向かって凹状に切りかかれた凹部６１５と、凹部６１５より手前側に凹状の貫通孔６１６が設けられている。
【００７２】
後方カバー部６１からハウジングケース３０と同程度の幅方向長さに拡幅する拡幅部６２は、底面６２２と側面６２１とで構成され、幅方向Ｗの両側面６２１には、上述の側面５２１に設けた固定ラッチ５２３と係合する幅方向Ｗの外側に突出する直角三角形断面の係止爪６２３が設けられている。
【００７３】
係止爪６２３は、係止爪６１３と同様に、上述の仮想の水平面に対して先端側が下向きＩＬ１に向かう前下がりの上方傾斜面６２３ａと、仮想の水平面に沿う水平底面６２３ｂとで連結方向Ｃｏから視て直角三角形状に形成されている。  
底面６２２の連結方向前方Ｃｏ１の端部では、後述する下部受け溝部６３に設けられた挿着ラッチ６６に対応する箇所を挿脱方向ＩＬに貫通させて貫通孔６２４を形成している。
【００７４】
拡幅部６２の連結方向前方Ｃｏ１の端部に設けられた下部受け溝部６３は、フランジ部３３に対応する幅方向長さで形成されている。  
下部受け溝部６３は、拡幅部６２の連結方向前方Ｃｏ１の端部に設けられた内側褄面６３１と、連結方向Ｃｏに所定間隔を隔てて配置された外側褄面６３２と、幅方向側面６３３とで構成されている。そして、内側褄面６３１、外側褄面６３２及び幅方向側面６３３で囲われた下部受け溝６４を形成している。
【００７５】
下部受け溝６４は、内側褄面６３１と外側褄面６３２との連結方向Ｃｏの間隔に対応する溝幅で形成され、挿脱方向ＩＬに貫通する溝形状である。詳しくは、下部受け溝６４は、上部受け溝５４と同様にフランジ部３３の厚みｔ１に対応する溝幅ｔ２（図８（ａ）参照）であり、つまり、内側褄面６３１と外側褄面６３２とは、連結方向Ｃｏにおいて溝幅ｔ２に対応する間隔で隔てて配置されている。なお、溝幅ｔ２は、厚みｔ１のフランジ部３３を下部受け溝６４に挿着できる間隔であり、厚みｔ１と同程度、あるいはわずかに広く形成している。
【００７６】
また、下部受け溝６４を構成する内側褄面６３１における貫通孔６２４に対応する部分には、フランジ部３３に設けた係止爪３４と係合する挿着ラッチ６６が幅方向Ｗに所定間隔を隔てて構成している。
【００７７】
挿着ラッチ６６は、連結方向Ｃｏから視て係止バー６６１を上部に備えた逆凹状である。上部の係止バー６６１の底面６６１ａは、図８（ｂ）（ｃ）の拡大図に図示するように、挿脱方向ＩＬに垂直な面、つまり連結方向Ｃｏと幅方向Ｗとで構成される仮想の水平面に対して先端側（連結方向前方Ｃｏ１）が上向きＩＬ２に向かって徐々に上がる湾曲面で構成している。
【００７８】
また、本実施形態においては、底面６６１ａは、図８（ａ）に示すように、後述する受け皿部６５の底面部６５１の上面６５１ａより所定間隔Ｈ２分だけ低い位置に配置されている。なお、受け皿部６５の底面部６５１の上面６５１ａから底面６６１ａまでの挿脱方向ＩＬの所定間隔Ｈ２は、ハウジングケース３０の底面３０ａから傾斜上面３４１の基端までの挿脱方向ＩＬの所定間隔Ｈ１と比べて同程度もしくはわずかに短く設定している。
【００７９】
このように挿着ラッチ６６が設けられた内側褄面６３１における拡幅部６２に対応する部分のうち挿着ラッチ６６が設けられた範囲以外の部分には、底面６２２より上向きＩＬ２に突出する突出壁６７が設けられている。
【００８０】
また、下部受け溝６４を構成する内側褄面６３１と外側褄面６３２の下部には、内側褄面６３１と外側褄面６３２とを連結方向Ｃｏに跨るリブ部６８が設けられている。なお、リブ部６８はフランジ部３３に設けられたスリット３５に対応する位置で、スリット３５に嵌合可能な大きさで形成している。
【００８１】
内側褄面６３１及び幅方向側面６３３とで下部受け溝６４を構成する外側褄面６３２には、連結方向前方Ｃｏ１に向かって伸びる受け皿部６５が設けられている。受け皿部６５は、底面部６５１と、底面部６５１の幅方向Ｗの両側で上向きＩＬ２に延びる側面部６５２とで、ハウジングケース３０の幅方向長さに対応する幅の連結方向Ｃｏから視た凹状に形成している。なお、受け皿部６５の底面部６５１の上面６５１ａは、ハウジング１０との組み付け状態において、ハウジングケース３０の底面３０ａと当接することとなる。  
このように構成されたアッパーカバー体５０とベースカバー体６０とを、挿脱方向ＩＬから組み付けることでカバー体４０を構成することができる。
【００８２】
続いて、各要素が上述のように構成された雌型コネクタ１の組み付けについて説明する。  
まず、被覆電線７０ａの先端に接続された雌型接続端子（図示省略）をハウジング本体２０のキャビティ２１に連結方向後方Ｃｏ２から挿入して、被覆電線７０ａをハウジング本体２０に組み付ける。なお、あらかじめ雌型コネクタをキャビティ２１に配置しておき、キャビティ２１の連結方向後方Ｃｏ２から被覆電線７０ａを挿入して、被覆電線７０ａと雌型接続端子とを接続してもよい。
【００８３】
このようにして、被覆電線７０ａを組み付けたハウジング本体２０を所定数準備し、これらのハウジング本体２０を上述の配置で配置するとともに、ハウジングケース３０の収容空間Ｙに対して、連結方向後方Ｃｏ２から挿入してハウジング本体２０とハウジングケース３０とを組み付けてハウジング１０を構成する。
【００８４】
このとき、上述したように、ハウジング本体２０の連結方向後方Ｃｏ２の端面は、ハウジングケース３０の連結方向後方Ｃｏ２の端面、つまりフランジ部３３の連結方向後方Ｃｏ２の端面と面一あるいは連結方向後方Ｃｏ２にわずかに突出することとなる。
【００８５】
次に、ハウジング１０をベースカバー体６０に組み付けてハウジング１０とベースカバー体６０とを連結する。詳しくは、図７（ａ），図８（ａ）に図示するように、ベースカバー体６０の下部受け溝６４の上方にフランジ部３３が位置するようにハウジング１０を配置し、ハウジング１０を挿着方向ＩＬ１に移動させて下部受け溝６４にフランジ部３３を挿着してハウジング１０とベースカバー体６０を連結する（図７（ｂ），図８（ｃ）参照）。
【００８６】
より詳しくは、下部受け溝６４に対して、上方に配置したフランジ部３３を挿着方向ＩＬ１に移動させて挿入すると、図８（ｂ）に示すように、係止爪３４の案内傾斜面３４２によって、挿着ラッチ６６の係止バー６６１が連結方向後方Ｃｏ２に押し戻される。さらに、挿着方向ＩＬ１へ係止爪３４が移動し、係止バー６６１が案内傾斜面３４２を乗り越えて傾斜上面３４１に係ると、係止バー６６１は自身の弾性力Ｆによって、連結方向前方Ｃｏ１に移動する。
【００８７】
そして、ハウジングケース３０の底面３０ａが受け皿部６５の底面部６５１の上面６５１ａに当接するまで挿着方向ＩＬ１に移動すると、係止バー６６１は連結方向前方Ｃｏ１に移動して、係止爪３４と挿着ラッチ６６とが係合し、ハウジング１０とベースカバー体６０とを堅固に固定することができる。
【００８８】
また、上述の係合状態において、受け皿部６５の底面部６５１の上面６５１ａから挿着ラッチ６６の底面６６１ａまでの挿脱方向ＩＬの所定間隔Ｈ２を、ハウジングケース３０の底面３０ａから傾斜上面３４１の基端までの挿脱方向ＩＬの所定間隔Ｈ１と比べて同程度もしくはわずかに短く設定しているため、挿着ラッチ６６による弾性力Ｆ（図８（ｃ）拡大図参照）が連結方向前方Ｃｏ１に作用することなる。
【００８９】
しかしながら、係止バー６６１の底面６６１ａは、上述の仮想の水平面に対して先端側が下向きＩＬ１に向かう前下がりの傾斜面で構成された傾斜上面３４１に当接しているため、弾性力Ｆの一部が挿着方向ＩＬ１に向かう挿着方向力Ｆ１として、係止爪３４に作用することとなる。したがって、挿着方向力Ｆ１は、係止爪３４を介して、上面６５１ａに底面３０ａが当接したハウジングケース３０を挿着方向ＩＬ１に付勢することとなり、ベースカバー体６０とハウジング１０とをより堅固に固定することができる。
【００９０】
逆に、係止爪３４が脱出方向ＩＬ２に移動して挿着ラッチ６６に脱出方向力Ｆ３が作用したり、係止バー６６１の底面６６１ａと係止爪３４の傾斜上面３４１との高さ関係から、係止状態において係止バー６６１が係止爪３４を挿着方向ＩＬ１に押し付ける挿着方向力Ｆ１が作用すると、傾斜面で構成された傾斜上面３４１と、係止バー６６１の底面６６１ａとが当接しているため、挿脱方向力Ｆ１，Ｆ３の一部は、挿着ラッチ６６によって、連結方向前方Ｃｏ１の前方押し付け力Ｆ２として、係止爪３４を介してフランジ部３３を連結方向前方Ｃｏ１に押し付けることとなり、ベースカバー体６０とハウジング１０とをより堅固に固定することができる。
【００９１】
なお、このようにハウジング１０とベースカバー体６０とを組み付けた状態では、図５（ｂ）に示すように、ハウジング１０のハウジング本体２０の連結方向後方Ｃｏ２の端面に対して、突出壁６７の連結方向前方Ｃｏ１の端面が当接することとなる。
【００９２】
上述のようにベースカバー体６０とハウジング１０とを組み付けた状態で、ハウジング１０の連結方向後方Ｃｏ２から帯びるワイヤーハーネス７０に対して、保護テープ７２を介して固定バンド７１を巻き付けるとともに、固定バンド７１を凹部６１５及び貫通孔６１６をくぐらせて締め付ける。この固定バンド７１の締め付けにより、ハウジング１０が組み付けられたベースカバー体６０に対して、ハウジング１０に挿入されたハウジング本体２０から連結方向後方Ｃｏ２に延びるワイヤーハーネス７０を固定することができる（図９参照）。
【００９３】
なお、ベースカバー体６０の後方カバー部６１において、手前側の第１側面６１１ｂに対して幅方向Ｗに対向する部分は、底面６１７にかけて切欠かれているため、固定バンド７１の締め付け作業を容易に行うことができる。
【００９４】
そのうえで、ベースカバー体６０の上方からアッパーカバー体５０を組み付ける。詳しくは、フランジ部３３の上方部分を上部受け溝５４に挿着するとともに、褄壁５１４に設けたガイド凸部５１５をスライド溝６１４にスライド嵌合させながら、アッパーカバー体５０を挿着方向ＩＬ１に移動させる。そして、固定ラッチ５１３，５２３を係止爪６１３，６２３に係合させて、ベースカバー体６０とアッパーカバー体５０との組み付け状態を固定してカバー体４０を構成し、ハウジング１０とカバー体４０との連結を完了する。
【００９５】
このアッパーカバー体５０とベースカバー体６０との組み付け状態では、ワイヤーハーネス７０の幅方向Ｗの外側を第２側面５１１ｃでカバーし、ワイヤーハーネス７０の連結方向Ｃｏを褄壁５１４でカバーしているため、ワイヤーハーネス７０が露出せず、つまり、ワイヤーハーネス７０のバンドカット端面が露出しないため安全である。
【００９６】
このように、被覆電線７０ａの先端に接続される雌型接続端子を連結方向後方Ｃｏ２から挿着するハウジング１０と、ハウジング１０の連結方向後方Ｃｏ２をカバーするカバー体４０とが連結方向Ｃｏに連結された雌型コネクタ１として、ハウジング１０にフランジ部３３が備えられるとともに、フランジ部３３が連結方向Ｃｏに交差する挿脱方向ＩＬに挿着される受け溝５４，６４がカバー体４０に備えられ、フランジ部３３が受け溝５４，６４に挿着された挿着状態において、受け溝６４からのフランジ部３３の脱出方向ＩＬ２に係止する係止爪３４がハウジング１０に備えられ、挿着ラッチ６６がカバー体４０に備えられ、係止爪３４と挿着ラッチ６６において互いに係止し合う傾斜上面３４１及び係止バー６６１の底面６６１ａが、挿脱方向ＩＬに仮想の水平面に対して連結方向Ｃｏに傾斜するため、組み付け状態においてハウジング１０とカバー体４０との相対移動を抑制することができる。
【００９７】
詳述すると、受け溝６４からのフランジ部３３の脱出方向ＩＬ２に係止する係止爪３４及び挿着ラッチ６６において互いに係止し合う係止箇所において、挿脱方向ＩＬに仮想の水平面に対して連結方向Ｃｏに傾斜する傾斜上面３４１及び底面６６１ａが形成されているため、係止状態における挿着ラッチ６６と係止爪３４とによる連結方向Ｃｏの弾性力Ｆの一部を挿着方向ＩＬ１に作用させたり、挿脱方向ＩＬの挿脱方向力Ｆ１，Ｆ３の一部を連結方向Ｃｏに作用させたりできる。つまり、挿着ラッチ６６と係止爪３４とによる係止力の一部の作用方向を変化させることができ、連結されたハウジング１０とカバー体４０との相対移動を抑制することができる。したがって、ハウジング１０とカバー体４０との相対移動によって生じるガタツキ音や微振動摩耗を防止することができる。
【００９８】
また、カバー体４０に設けた受け溝５４，６４に対して、ハウジング１０に備えたフランジ部３３を、連結方向Ｃｏに交差する下向きＩＬ１に挿着することで、ハウジング１０とカバー体４０とを連結方向に連結することができる。
【００９９】
また、受け溝６４からのフランジ部３３の脱出方向ＩＬ２に係止する係止爪３４及び挿着ラッチ６６において互いに係止し合う係止箇所において、挿脱方向ＩＬに仮想の水平面に対して連結方向Ｃｏに傾斜する傾斜上面３４１及び底面６６１ａが形成されているため、係止状態における挿着ラッチ６６と係止爪３４とによる連結方向Ｃｏの弾性力Ｆの一部を挿着方向ＩＬ１に作用させて、フランジ部３３を受け溝６４に対して挿着方向ＩＬ１に押し付けることができる。また、挿脱方向ＩＬの挿脱方向力Ｆ１，Ｆ３の一部を連結方向Ｃｏに作用させて、受け溝５４，６４を形成する受け溝部５３，６３にフランジ部３３を押し付けたりして、連結されたハウジング１０とカバー体４０との相対移動を抑制することができる。
【０１００】
また、受け溝部６３は、フランジ部３３の厚みｔ１に対向する溝幅ｔ２に対応する間隔を隔てて配置された一対の内側褄面６３１及び外側褄面６３２で構成され、側褄面６３２から連結方向前方Ｃｏ１に延びるとともに、底面３０ａに当接する受け皿部６５の底面部６５１が備えられているため、連結されたハウジング１０とカバー体４０との相対移動をより抑制することができる。
【０１０１】
詳述すると、受け溝部５３，６３は、フランジ部３３の厚みｔ１に対向する間隔を隔てて配置された一対の内側褄面５３１，６３１及び外側褄面５３２，６３２で構成され、外側褄面６３２から前方に延びるとともに、底面３０ａに当接する受け皿部６５の底面部６５１が備えられているため、係止状態における挿着ラッチ６６と係止爪３４とによる連結方向Ｃｏの弾性力Ｆの一部を挿着方向ＩＬ１に作用させて、フランジ部３３を受け溝６４に対して挿着方向ＩＬ１に押し付けることができる。また、挿脱方向ＩＬの挿脱方向力Ｆ１，Ｆ３の一部を連結方向Ｃｏに作用させて、受け溝５４，６４を形成する内側褄面５３１，６３１及び外側褄面５３２，６３２にフランジ部３３を押し付けたりするとともに、外側褄面６３２から前方に延びる受け皿部６５の底面部６５１とハウジング１０の底面３０ａとが当接するため、連結されたハウジング１０とカバー体４０との相対移動をより抑制することができる。
【０１０２】
また、係止爪３４はフランジ部３３に備えられるとともに、連結方向Ｃｏに変形可能な挿着ラッチ６６が受け溝部６３に備えられているため、挿着ラッチ６６による連結方向Ｃｏの弾性力Ｆを、フランジ部３３の挿着方向ＩＬ１に作用させることにより、連結されたハウジング１０とカバー体４０との相対移動をさらに抑制することができる。
【０１０３】
また、フランジ部３３が受け溝５４，６４に挿着された挿着状態において、挿着ラッチ６６による連結方向Ｃｏの弾性力Ｆを、フランジ部３３に対して挿着方向ＩＬ１に作用させることができるため、受け溝６４に対して挿着方向ＩＬ１にフランジ部３３をより押し付けて、連結されたハウジング１０とカバー体４０との相対移動をさらに抑制することができる。
【０１０４】
また、ハウジング１０は、雌型接続端子が挿着されるハウジング本体２０と、ハウジング本体２０が連結方向後方Ｃｏ２から挿入されるハウジングケース３０とで構成され、フランジ部３３及び係止爪３４がハウジングケース３０に備えられているため、雌型接続端子が挿着されたハウジング本体２０をハウジングケース３０の連結方向後方Ｃｏ２から組み付けるとともに、ハウジングケース３０に設けたフランジ部３３及び係止爪３４をカバー体４０と連結して固定するため、取り扱い性を向上することができる。
【０１０５】
また、カバー体４０に、連結状態におけるハウジングケース３０からのハウジング本体２０の連結方向後方Ｃｏ２への抜出しを規制する突出壁６７が備えられているため、ハウジングケース３０からハウジング本体２０が不用意に抜け出すことを防止することができる。
【０１０６】
また、カバー体４０は、連結方向Ｃｏに交差する挿脱方向ＩＬからハウジング１０を挟み込む一対構成のアッパーカバー体５０及びベースカバー体６０で構成されているため、ハウジング１０の連結方向後方Ｃｏ２の周囲を組合せカバー体４０で容易に囲繞することができる。
【０１０７】
また、雌型コネクタ１と、雌型接続端子が先端に接続された複数本の被覆電線７０ａとで構成されたコネクタ付ワイヤーハーネス２は、複数本の被覆電線７０ａの先端に接続された雌型接続端子が連結方向後方Ｃｏ２から挿着されたハウジング１０の連結方向後方Ｃｏ２をカバー体４０でカバーしているため、耐久性の高いコネクタ付ワイヤーハーネスを構成することができる。
【０１０８】
また、カバー体４０に、ハウジング１０から連結方向後方Ｃｏ２に延びる被覆電線７０ａを束ねて固定する固定バンド７１を装着する凹部６１５、貫通孔６１６が設けられているため、耐久性を向上できるコネクタ付ワイヤーハーネス２を構成することができる。
【０１０９】
詳述すると、ワイヤーハーネス７０をカバー体４０に固定できるため、ワイヤーハーネス７０に外力が作用した場合であっても、固定バンド７１が装着された凹部６１５、貫通孔６１６を介して外力はカバー体４０に作用するため、ハウジング１０に収容した雌型接続端子に外力が作用することがなく、耐久性を向上できるコネクタ付ワイヤーハーネス２を構成することができる。
【０１１０】
また、先端に接続された雌型接続端子がハウジング１０に挿着された被覆電線７０ａで構成するワイヤーハーネスをカバー体４０に固定しているものの、上述したように、連結されたハウジング１０とカバー体４０との相対移動を抑制できるため、振動が作用した場合であってもワイヤーハーネス７０とカバー体４０とは同位相の振動モードで振動し、ワイヤーハーネス７０とカバー体４０とが相対移動することを抑制できる。
【０１１１】
特に、ワイヤーハーネス７０を、細径化された被覆電線７０ａで構成しているため、上述したように、ワイヤーハーネス７０とカバー体４０とが相対移動すると、細径化された被覆電線７０ａが損傷するおそれがあるが、上述したように、ワイヤーハーネス７０とカバー体４０とが相対移動することを抑制できるため、細径化された被覆電線７０ａで構成するワイヤーハーネス７０であっても損傷することを防止できる。
【０１１２】
この発明の構成と、上述の実施形態との対応において、
この発明の被覆電線は、被覆電線７０ａに対応し、
以下同様に、
接続端子は、雌型接続端子に対応し、
後方は、連結方向後方Ｃｏ２に対応し、
ハウジングは、ハウジング１０に対応し、
カバー体は、カバー体４０に対応し、
前後方向は、連結方向Ｃｏに対応し、
コネクタは、雌型コネクタ１に対応し、
挿着部及びフランジ部は、フランジ部３３に対応し、
挿脱方向は、挿脱方向ＩＬに対応し、
被挿着部及び受け溝は、受け溝５４，６４に対応し、
係止部及び係止爪は、係止爪３４に対応し、
被係止部及び変形被係止部は、挿着ラッチ６６に対応し、
垂直な面は、仮想の水平面に対応し、
傾斜面は、傾斜上面３４１に対応し、
溝形成部は、受け溝部５３，６３に対応し、
フランジ部の厚みは、厚みｔ１に対応し、
フランジ部の厚みに対向する間隔は、溝幅ｔ２に対応し、
壁部は、内側褄面５３１，６３１及び外側褄面５３２，６３２に対応し、
ハウジングの底面は、底面３０ａに対応し、
当接部は受け皿部６５の底面部６５１に対応し、
弾性係止力は、弾性力Ｆに対応し、
ハウジング本体は、ハウジング本体２０に対応し、
ハウジングケースは、ハウジングケース３０に対応し、
規制凸部は、突出壁６７に対応し、
一対構成の組合せカバー体は、カバー体４０を構成するアッパーカバー体５０及びベースカバー体６０に対応し、
コネクタ付ワイヤーハーネスは、コネクタ付ワイヤーハーネス２に対応し、
固定バンドは、固定バンド７１に対応し、
バンド装着部は、凹部６１５、貫通孔６１６に対応するが、
この発明は、上述の実施形態の構成のみに限定されるものではなく、多くの実施の形態を得ることができる。
【０１１３】
例えば、上述の説明では、ハウジング本体２０をハウジングケース３０に挿入してハウジング１０を構成したが、ハウジングケースとハウジング本体とが一体化されたハウジングであってもよい。
【０１１４】
また、上述の説明では、係止爪３４がハウジング１０に備えられるとともに、挿着ラッチ６６がカバー体４０に備えられたが、係止爪３４がカバー体４０に備えられるとともに、挿着ラッチ６６がハウジング１０に備えられてもよい。さらには、係止爪３４と挿着ラッチ６６との組が複数備えられ、係止爪３４と挿着ラッチ６６のそれぞれがカバー体４０とハウジング１０に備えられてもよい。
【０１１５】
突出壁６７は、ハウジングケース３０に挿入されたハウジング本体２０に嵌合させて連結方向後方Ｃｏ２への移動を規制する凸部などであってもよい。  
また、傾斜面で構成された傾斜上面３４１と、湾曲面で形成された係止バー６６１の底面６６１ａとのいずれか一方が上述の仮想の水平面に沿うフラットな面で構成されてもよい。
【符号の説明】
【０１１６】
１…雌型コネクタ
２…コネクタ付ワイヤーハーネス
１０…ハウジング
２０…ハウジング本体
３０…ハウジングケース
３０ａ…底面
３３…フランジ部
３４…係止爪
４０…カバー体
５０…アッパーカバー体
５３，６３…受け溝部
５４，６４…受け溝
６０…ベースカバー体
６５…受け皿部
６６…ラッチ
６７…突出壁
７０…ワイヤーハーネス
７０ａ…被覆電線
７１…固定バンド
３４１…傾斜上面
５３１，６３１…内側褄面
５３２，６３２…外側褄面
６１５…凹部
６１６…貫通孔
６５１…底面部
Ｃｏ…連結方向
Ｃｏ２…連結方向後方
Ｆ…弾性力
ＩＬ…挿脱方向
ｔ１…厚み
ｔ２…溝幅
【図１】
2019061744.tif 000003
【図２】
2019061744.tif 000004
【図３】
2019061744.tif 000005
【図４】
2019061744.tif 000006
【図５】
2019061744.tif 000007
【図６】
2019061744.tif 000008
【図７】
2019061744.tif 000009
【図８】
2019061744.tif 000010
【図９】
2019061744.tif 000011